(57)【要約】【課題】新規な原理で血液凝固を検出する血液凝固検出装置を提供する。【解決手段】この血液凝固検出装置１００では、交流電源１３０及び電圧印加用電極１３２，１３４を備えた電界発生手段により、血液載置部Ｓに載置された血液の周囲及び／又は血液に、周期的に変化する電界を発生させることによって血液の形状を周期的に変化させ、インピーダンス測定装置及び検出用電極１５２，１５４を備えた検出手段により、血液の形状変化に伴う物理的性質（ここではインピーダンス）の変化を検出する。【選択図】図１
2014169920.tif 000002
【特許請求の範囲】
【請求項１】
測定対象である血液を載置する血液載置部と、
前記血液載置部に載置された血液の周囲及び／又は血液に、周期的に変化する電界を発生させる電界発生手段と、
前記電界発生手段によって前記電界を発生させた状態で、前記血液載置部に載置された血液の形状変化に伴う物理的性質の変化を検出する検出手段と、
を備えた血液凝固検出装置。
【請求項２】
前記血液載置部は、誘電体層の表面側に設けられ、
前記電界発生手段は、前記誘電体層の裏面に設けられた一対の電圧印加用電極の間、又は、前記血液載置部に載置された血液と前記誘電体層の裏面に設けられた電圧印加用電極との間に周期的に変化する電圧を印加する手段である、
請求項１に記載の血液凝固検出装置。
【請求項３】
前記検出手段は、前記血液載置部に載置された血液の形状変化に伴う電気的性質の変化を検出する手段である、
請求項１又は２に記載の血液凝固検出装置。
【請求項４】
前記血液載置部は、前記測定対象である血液とそれぞれ異なる位置で接触する２つの検出用電極を含んで構成され、
前記検出手段は、前記２つの検出用電極の間の電気的性質の変化を検出する手段である、
請求項３に記載の血液凝固検出装置。
【請求項５】
前記血液載置部は、前記測定対象である血液を載置する１つの検出用電極であり、
前記検出手段は、前記検出用電極のうち前記血液を挟んで対をなすように設けられた２つの端子部間の電気的性質の変化を検出する手段である、
請求項３に記載の血液凝固検出装置。
【請求項６】
前記電気的性質は、インピーダンス又は静電容量である、
請求項４又は５に記載の血液凝固検出装置。
【請求項７】
前記検出手段は、前記血液載置部に載置された血液の形状変化に伴う光学的性質の変化を検出する手段である、
請求項１又は２に記載の血液凝固検出装置。
【請求項８】
前記光学的性質は、光の吸収強度又は散乱強度である、
請求項７に記載の血液凝固検出装置。
【請求項９】
前記血液載置部の表面には、疎水性の膜が形成されている、
請求項１〜８のいずれか１項に記載の血液凝固検出装置。
【請求項１０】
測定対象である血液の周囲に周期的に変化する電界を発生させた状態で、前記血液の形状変化に伴う物理的性質の変化を検出し、該物理的性質の変化がなくなるまでの時間に基づいて血液凝固時間を算出する、
血液凝固検出方法。
【発明の詳細な説明】
【技術分野】
【０００１】
本発明は、血液凝固検出装置及び血液凝固検出方法に関する。
【背景技術】
【０００２】
従来、血液凝固検出装置として種々のものが知られている。例えば、トロンボプラスチンや基質が含まれる専用試験紙と血液との反応によって生成するフェニレンジアミンの酸化による電流を測定し、その電流が閾値を超えるまでの時間をプロトロンビン時間として求めるものが提案されている（非特許文献１）。また、血液中に圧電振動子を浸漬させて発振させ、凝固による発振周波数の変化を測定することにより凝固時間を測定するもの（特許文献１）、基板部材に形成された微小流路に血液を流し、血液が流れなくなる（凝固する）時間を計測するもの（特許文献２）などが提案されている。
【先行技術文献】
【特許文献】
【０００３】
【特許文献１】特公平７−４３３８８号公報
【特許文献２】特表２００４−５２２１４６号公報
【非特許文献】
【０００４】
【非特許文献１】コアグチェックＸＳ添付文書（コアグチェックは登録商標）              （http://www.eidia.co.jp/product/diagnose/attach/attach_pdf/ketueki/cogc.pdf）
【発明の概要】
【発明が解決しようとする課題】
【０００５】
しかしながら、非特許文献１のものでは、血液凝固の最終形態であるフィブリンを直接測定していないため、確実性に欠けることがあった。また、特許文献１，２のものでは、凝固する時間を直接測定しているものの、特許文献１では、圧電振動子を血液に浸漬させる必要があるため比較的多くの血液が必要であった。また、特許文献２では、毛管現象を利用しているため、脂質の多い血液などでは微小流路が詰まってしまい正確な測定が行えない場合があった。このように、それぞれの技術には長所と短所があるため、互いに補完できるよう、技術の豊富化が望まれていた。
【０００６】
本発明はこうした課題を解決するためになされたものであり、これまでこの分野で採用されていないエレクトロウェッティングの原理を利用して血液凝固を検出する血液凝固検出装置を提供することを主目的とする。
【課題を解決するための手段】
【０００７】
本発明の血液凝固検出装置及び血液凝固検出方法は、上述の主目的を達成するために以下の手段を採った。
【０００８】
本発明の血液凝固検出装置は、
測定対象である血液を載置する血液載置部と、
前記血液載置部に載置された血液の周囲及び／又は血液に、周期的に変化する電界を発生させる電界発生手段と、
前記電界発生手段によって前記電界を発生させた状態で、前記血液載置部に載置された血液の形状変化に伴う物理的性質の変化を検出する検出手段と、
を備えたものである。
【０００９】
この血液凝固検出装置では、血液載置部に載置された血液の周囲及び／又は血液に周期的に変化する電界を発生させることによって血液の形状を周期的に変化させ、その形状変化に伴う物理的性質の変化を検出する。液体に電圧を印加する前後で液体の形状が変化する現象は、エレクトロウェッティングと呼ばれている（例えばJournal of Micromechanics and Microengineering, 16(2006)2053-2059参照）。本発明によれば、こうしたエレクトロウェッティングの原理を応用した新規な血液凝固検出技術を提供することができるため、技術の豊富化に資することができる。
【００１０】
本発明の血液凝固検出装置において、前記血液載置部は、誘電体層の表面側に設けられ、前記電界発生手段は、前記誘電体層の裏面に設けられた一対の電圧印加用電極の間、又は、前記血液載置部に載置された血液と前記誘電体層の裏面に設けられた電圧印加用電極との間に周期的に変化する電圧を印加する手段であるものとしてもよい。こうしたものでは、印加する電圧を変化させると、誘電体層の裏面に設けられた電圧印加用電極と血液載置部に載置された血液との間で形成されるキャパシタの静電エネルギーが変化した分だけ表面自由エネルギーが変化し、血液載置部に対する血液の接触角が変化し、血液の形状が変化する。このため、周期的に変化する電圧を印加することで、比較的容易に血液の形状を変化させることができる。
【００１１】
本発明の血液凝固検出装置において、前記検出手段は、前記血液載置部に載置された血液の形状変化に伴う電気的性質の変化を検出する手段であるものとしてもよい。電気的性質の変化を検出する場合、前記血液載置部は、前記測定対象である血液とそれぞれ異なる位置で接触する２つの検出用電極を含んで構成され、前記検出手段は、前記２つの検出用電極の間の電気的性質の変化を検出する手段であるものとしてもよい。また、前記血液載置部は、前記測定対象である血液を載置する１つの検出用電極であり、前記検出手段は、前記検出用電極のうち前記血液を挟んで対をなすように設けられた２つの端子部間の電気的性質の変化を検出する手段であるものとしてもよい。前記電気的性質は、インピーダンス又は静電容量であるものとしてもよい。
【００１２】
本発明の血液凝固検出装置において、前記検出手段は、前記血液載置部に載置された血液の形状変化に伴う光学的性質の変化を検出する手段であるものとしてもよい。前記光学的性質は、光の吸収強度又は散乱強度であるものとしてもよい。
【００１３】
本発明の血液凝固検出装置において、前記血液載置部の表面には、疎水性の膜が形成されているものとしてもよい。表面の疎水性を高めることで、電界が発生していない状態での表面自由エネルギーを大きくすることができ、血液の形状変化の割合を大きくできるため、血液凝固の検出感度を向上できる。
【００１４】
本発明の血液凝固検出方法は、
測定対象である血液の周囲に周期的に変化する電界を発生させた状態で、前記血液の形状変化に伴う物理的性質の変化を検出し、該物理的性質の変化がなくなるまでの時間に基づいて血液凝固時間を算出するものである。
【００１５】
この血液凝固検出方法では、血液の周囲及び／又は血液に周期的に変化する電界を発生させることによって血液の形状を周期的に変化させ、その形状変化に伴う物理的性質の変化を検出し、物理的性質の変化がなくなるまでの時間に基づいて血液凝固時間を算出する。本発明によれば、上述したエレクトロウェッティングの原理を応用した新規な血液凝固検出技術を提供することができるため、技術の豊富化に資することができる。
【図面の簡単な説明】
【００１６】
【図１】血液凝固検出装置１００の概略を示す断面図。
【図２】血液凝固検出装置１００を用いた血液凝固検出処理の作業手順を示すフローチャート。
【図３】印加電圧の波形の一例を示すグラフ。
【図４】インピーダンスの経時変化の一例を示すグラフ。
【図５】血液凝固検出装置２００の概略を示す断面図。
【図６】血液凝固検出装置２００を用いた血液凝固検出処理の作業手順を示すフローチャート。
【図７】血液凝固検出装置３００の概略を示す断面図。
【図８】血液凝固検出装置４００の概略を示す断面図。
【図９】血液凝固検出装置５００の概略を示す断面図。
【図１０】血液凝固検出装置５００を用いた血液凝固検出処理の作業手順を示すフローチャート。
【図１１】血液凝固検出装置１００の別例の概略を示す断面図。
【図１２】実施例の血液凝固検出装置１００の作製手順を示す説明図。
【図１３】実施例１〜４で測定した時間とインピーダンスとの関係を示すグラフ。
【発明を実施するための形態】
【００１７】
次に、本発明を実施するための形態を図面を用いて説明する。
［第１実施形態］
図１は、第１実施形態の血液凝固検出装置１００の概略を示す断面図である。図１（ａ）は血液の周囲及び／又は血液に電界が発生していない状態を示し、図１（ｂ）は血液の周囲及び／又は血液に電界が発生している状態を示す。
【００１８】
血液凝固検出装置１００は、図１に示すように、チップ１１０と、交流電源１３０と、インピーダンス測定装置１５０とを備えている。
【００１９】
チップ１１０は、基板１２０と、一対の電圧印加用電極１３２，１３４と、誘電体層１４０と、２つの検出用電極１５２，１５４とを備えており、２つの検出用電極１５２，１５４が配設された側の面が血液載置部Ｓを構成する。
【００２０】
基板１２０は、ＳｉＯ2などの絶縁材料で形成された板状部材である。
【００２１】
一対の電圧印加用電極１３２，１３４は、基板１２０の表面に離間して形成されている。この電圧印加用電極１３２，１３４は、例えば、スパッタにより形成されたＰｔ電極である。こうした電圧印加用電極１３２，１３４の間には、所定の周波数で電圧を０（Ｖ）とＶ（Ｖ）の間で変化させる交流電源１３０が接続されている。
【００２２】
誘電体層１４０は、一対の電圧印加用電極１３２，１３４を覆うように基板１２０上に形成された層であり、例えば、化学気相成長法（ＣＶＤ）により形成された厚さ数μｍ〜数１００μｍ程度のセラミック層（例えばＳｉ3Ｎ4層、ＡｌＮ層、Ａｌ2Ｏ3層、ＳｉＯ2層、ＴｉＯ層、ＴｉＯ2層、ＢａＴｉＯ3層、ＳｒＴｉＯ3層など）あるいは樹脂層（フッ素樹脂層、パリレン層、アクリル樹脂層、塩化ビニール樹脂層、エポキシ樹脂層など）である。
【００２３】
２つの検出用電極１５２，１５４は、誘電体層１４０の表面に設けられており、例えば、Ｐｔ粒子を含むペーストを塗布乾燥して得られたＰｔ電極である。この検出用電極１５２，１５４は、端子部１５２ａ，１５４ａを備えている。この端子部１５２ａ，１５４ａには、インピーダンス測定装置１５０が接続され、端子部１５２ａ，１５４ａ間のインピーダンス変化を測定できるようになっている。
【００２４】
次に、こうして構成された本実施形態の血液凝固検出装置１００を用いた血液凝固検出処理の一例について説明する。図２は、本実施形態の血液凝固検出処理の作業手順を示すフローチャートである。
【００２５】
まず、交流電源１３０及びインピーダンス測定装置１５０を接続したチップ１１０の血液載置部Ｓに、測定対象である血液を滴下する（ステップＳ１００）。なお、血液としては、動物から採血した新鮮血液に抗凝固剤としてのアルセバー液やクエン酸ナトリウム水溶液を添加して低温保存した保存血液などを用いることができる。
【００２６】
続いて、血液にＣａＣｌ２水溶液などの凝固試薬を滴下し、交流電源１３０のスイッチをＯＮにして一対の電圧印加用電極１３２，１３４間に交流電圧を印加する。図３に、こうした交流電圧の一例を示す。この交流電圧は、所定の周波数で電圧が０（Ｖ）からＶ（Ｖ）の間で変化している。さらに、インピーダンス測定装置１５０を用いて、２つの検出用電極１５２，１５４間のインピーダンスの測定を開始する（ステップＳ１１０）。電圧印加用電極１３２，１３４間に交流電圧を印加すると、印加電圧の周期的な変化に応じて、測定対象である血液の電荷状態や表面自由エネルギーが周期的に変化し、血液の形状が周期的に変化する。具体的には、電圧が０（Ｖ）のときには、図１（ａ）に示すように血液載置部Ｓとの接触角θが大きくなり（θ＝θ0）、血液載置部Ｓとの接触面積が小さくなり、高さが高くなる。一方、電圧がＶ（Ｖ）のときには、図１（ｂ）に示すように血液載置部Ｓとの接触角θが小さくなり（θ＝θV）、血液載置部Ｓとの接触面積が大きくなり、高さが低くなる。２つの検出用電極１５２，１５４間のインピーダンスは、こうした血液の周期的な形状の変化に応じて、周期的に変化する。図４は、ステップＳ１１０で得られた、２つの検出用電極１５２，１５４間のインピーダンスの経時変化の一例を示すグラフである。
【００２７】
続いて、ステップＳ１１０で得られたインピーダンスの経時変化のグラフ（例えば図４）から、インピーダンスの測定開始から周期的な変化がなくなるまでの時間Ｔを、算出する（ステップＳ１２０）。血液が凝固すると、電圧の変化による血液の形状変化がなくなるため、インピーダンスの変化が無くなる。このため、時間に対するインピーダンスの変化がなくなった時点つまり時間Ｔが経過した時点で血液が凝固したとみなすことができる。こうしたことから、時間Ｔを血液凝固時間とすることができる。
【００２８】
ここで、本実施形態の構成要素と本発明の構成要素との対応関係を明らかにする。本実施形態の交流電源１３０、一対の電圧印加用電極１３２，１３４が本発明の電界発生手段に相当し、インピーダンス測定装置及び２つの検出用電極１５２，１５４が検出手段に相当し、インピーダンスが物理的性質に相当する。なお、本実施形態では、血液凝固検出装置を用いた血液凝固検出処理を説明することにより、本発明の血液凝固検出方法の一例も明らかにしている。
【００２９】
以上説明した本実施形態の血液凝固検出装置１００によれば、エレクトロウェッティングの原理を応用した新規な血液凝固検出技術を提供することができるため、技術の豊富化に資することができる。
【００３０】
また、この血液凝固検出装置１００では、誘電体層１４０の裏面に設けられた電圧印加用電極１３２，１３４間の電圧を変化させると、電圧印加用電極１３２，１３４と血液載置部に載置された血液との間で形成されるキャパシタの静電エネルギーが変化した分だけ表面自由エネルギーが変化し、血液載置部Ｓに対する血液の接触角が変化する。このため、電圧印加用電極１３２，１３４間に交流電源１３０によって交流電圧を印加することで、比較的容易に血液の形状を変化させることができる。
【００３１】
更に、電界発生手段を構成する電圧印加用電極１３２，１３４がいずれも誘電体層１４０の裏面に設けられており、チップ１１０の上方には電界発生手段を構成する電極がないため、操作性やメンテナンス性がよいし、チップ１１０の上方の装置構成（例えば検出手段など）の設計自由度が高い。また、電圧印加用電極１３２，１３４の電極配置の設計自由度が高い（例えば、Journal of Micromechanics and Microengineering, 16(2006)2053-2059に記載のように、電圧印加用電極１３２，１３４をくし歯状とし、その歯が互い違いに配置されるようにすることなども可能である）ため、血液形状の変化量を調整しやすい。
【００３２】
更にまた、離間して設けられた２つの検出用電極１５２，１５４を用いて電気的性質の変化を検出するため、電流が確実に血液中を流れる。このため、電気的性質の変化の検出が容易である。 
【００３３】
［第２実施形態］
図５は、第２実施形態の血液凝固検出装置２００の概略を示す断面図である。図５（ａ）は血液の周囲及び／又は血液に電界が発生していない状態を示し、図５（ｂ）は血液の周囲及び／又は血液に電界が発生している状態を示す。なお、第２実施形態の血液凝固検出装置２００のうち、第１実施形態の血液凝固検出装置１００と同じ構成要素については同じ符号を付し、その説明を省略する。
【００３４】
血液凝固検出装置２００は、図５に示すように、チップ２１０と、交流電源１３０と、インピーダンス測定装置１５０とを備えている。
【００３５】
チップ２１０は、基板１２０と、電圧印加用チップ側電極２３２と、電圧印加用血液側電極２３４と、誘電体層１４０と、２つの検出用電極１５２，１５４とを備えており、２つの検出用電極１５２，１５４が配設された側の面が血液載置部Ｓを構成する。
【００３６】
電圧印加用チップ側電極２３２は、基板１２０の表面を覆うように形成されており、例えば、スパッタにより形成されたＰｔ電極である。電圧印加用血液側電極２３４はチップ２１０とは独立して形成されており、例えば、針状のＰｔ電極である。こうした電圧印加用チップ側電極２３２と電圧印加用血液側電極２３４との間には、所定の周波数で電圧を０（Ｖ）とＶ（Ｖ）の間で変化させる交流電源１３０が接続されている。
【００３７】
次に、こうして構成された本実施形態の血液凝固検出装置２００を用いた血液凝固検出処理の一例について説明する。図６は、本実施形態の血液凝固検出処理の作業手順を示すフローチャートである。なお、第２実施形態の血液凝固検出処理のうち、第１実施形態の血液凝固処理と同じステップについては同じステップ番号を付し、その説明を省略する。
【００３８】
ステップＳ２０５では、電圧印加用血液側電極２３４を血液に突き刺す。このとき、電圧印加用血液側電極２３４がチップ２１０に接触しないようにする。
【００３９】
ステップＳ２１０では、血液にＣａＣｌ２水溶液などの凝固試薬を滴下し、交流電源１３０のスイッチをＯＮにして電圧印加用チップ側電極２３２と電圧印加用血液側電極２３４との間に交流電圧（図３参照）を印加する。さらに、インピーダンス測定装置１５０を用いて、２つの検出用電極１５２，１５４間のインピーダンスの測定を開始する。なお、第２実施形態の血液凝固検出装置２００のような構成でも、電圧印加用チップ側電極２３２と電圧印加用血液側電極２３４との間の電圧を周期的に変化させると、印加電圧の周期的な変化に応じて、測定対象である血液の電荷状態や表面エネルギーが周期的に変化し、血液の形状が周期的に変化する。具体的には、電圧が０（Ｖ）のときには電極との接触角が大きくなるし（図５（ａ）参照）、電圧がＶ（Ｖ）のときには電極との接触角が小さくなる（図５（ｂ）参照）。
【００４０】
ここで、本実施形態の構成要素と本発明の構成要素との対応関係を明らかにする。本実施形態の交流電源１３０、電圧印加用チップ側電極２３２及び電圧印加用血液側電極２３４が本発明の電界発生手段に相当し、インピーダンス測定装置及び２つの検出用電極１５２，１５４が検出手段に相当し、インピーダンスが物理的性質に相当する。なお、本実施形態では、血液凝固検出装置を用いた血液凝固検出処理を説明することにより、本発明の血液凝固検出方法の一例も明らかにしている。
【００４１】
以上説明した本実施形態の血液凝固検出装置２００では、電界発生手段の構成が異なることによる効果以外は、概ね第１実施形態の効果と同様の効果を有する。このため、以下では、電界発生手段の構成が異なることによる効果についてのみ説明する。
【００４２】
この血液凝固検出装置２００では、誘電体層１４０の裏面に設けられた電圧印加用チップ側電極２３２と血液に突き刺して電圧印加用血液側電極２３４との間の電圧を変化させると、電圧印加用チップ側電極２３２と血液載置部Ｓに載置された血液との間で形成されるキャパシタの静電エネルギーが変化した分だけ表面自由エネルギーが変化し、血液載置部Ｓに対する血液の接触角が変化する。このため、電圧印加用チップ側電極２３２と電圧印加用血液側電極２３４との間に交流電源１３０によって交流電圧を印加することで、比較的容易に血液の形状を変化させることができる。
【００４３】
［第３実施形態］
図７は、第３実施形態の血液凝固検出装置３００の概略を示す説明図である。図７（ａ）は血液の周囲及び／又は血液に電界が発生していない状態を示し、図７（ｂ）は血液の周囲及び／又は血液に電界が発生している状態を示す。
【００４４】
血液凝固検出装置３００は、第１実施形態における２つの検出用電極１５２，１５４の代わりに１つの検出用電極３５３を用いたこと、この検出用電極３５３のうち血液を挟んで対をなすように設けられた２つの端子部３５３ａ、３５３ｂの間のインピーダンスを測定すること以外は、第１実施形態と同様である。そのため、第１実施形態の血液凝固検出装置１００と同じ構成要素については同じ符号を付し、その説明を省略する。こうした血液凝固検出装置３００でも、図２のフローチャートにしたがって血液凝固処理の作業を行うことにより、血液凝固時間を測定することができる。但し、第３実施形態では、検出用電極３５３と血液とが並列接続されているのに対し、第１実施形態では検出用電極１５２と血液と検出用電極１５４とが直列接続されているため、第１実施形態の方が血液のインピーダンスの測定精度が高い。
【００４５】
［第４実施形態］
図８は、第４実施形態の血液凝固検出装置４００の概略を示す説明図である。図８（ａ）は血液の周囲及び／又は血液に電界が発生していない状態を示し、図８（ｂ）は血液の周囲及び／又は血液に電界が発生している状態を示す。
【００４６】
血液凝固検出装置４００は、第２実施形態における２つの検出用電極１５２，１５４の代わりに１つの検出用電極４５３を用いたこと、この検出用電極４５３のうち血液を挟んで対をなすように設けられた２つの端子部４５３ａ、４５３ｂの間にインピーダンスを測定すること以外は、第２実施形態と同様である。そのため、第２実施形態の血液凝固検出装置２００と同じ構成要素については同じ符号を付し、その説明を省略する。こうした血液凝固検出装置４００でも、図６のフローチャートにしたがって血液凝固処理の作業を行うことにより、血液凝固時間を測定することができる。但し、第４実施形態では、検出用電極４５３と血液とが並列接続されているのに対し、第２実施形態では検出用電極１５２と血液と検出用電極１５４とが直列接続されているため、第２実施形態の方が血液のインピーダンスの測定精度が高い。
【００４７】
［第５実施形態］
図９は、第５実施形態の血液凝固検出装置５００の概略を示す説明図である。図９（ａ）は血液の周囲及び／又は血液に電界が発生していない状態を示し、図９（ｂ）は血液の周囲及び／又は血液に電界が発生している状態を示す。なお、第５実施形態の血液凝固検出装置５００のうち、第１実施形態の血液凝固検出装置１００と同じ構成要素については同じ符号を付し、その説明を省略する。
【００４８】
血液凝固検出装置５００は、図９に示すように、チップ５１０と、交流電源１３０と、光学系ユニット５７０とを備えている。
【００４９】
チップ５１０は、基板１２０と、一対の電圧印加用電極１３２，１３４と、誘電体層１４０と、疎水性膜５６０とを備えており、疎水性膜５６０が敷設された側の面が血液載置部Ｓを構成する。
【００５０】
疎水性膜５６０は、誘電体層１４０を覆うように敷設された疎水性の膜であり、例えばフッ素樹脂膜である。
【００５１】
光学系ユニット５７０は、発光部５７２と、受光部５７４とを備えており、発光部５７２から照射された照射光の強度や受光部５７４で受光した透過光の強度に基づき、光の吸収強度を算出するように構成されている。
【００５２】
発光部５７２は、測定対象である血液の側方に設けられており、照射光（ここではレーザー光）を水平方向に出力することによって、測定対象である血液に照射光を照射するように配置されている。
【００５３】
受光部５７４は、測定対象である血液の側方で、発光部５７２とは反対側に設けられており、発光部５７２から照射され血液を透過してきた透過光を受光するように配置されている。
【００５４】
次に、こうして構成された本実施形態の血液凝固検出装置５００を用いた血液凝固検出処理の一例について説明する。図１０は、本実施形態の血液凝固検出処理の作業手順を示すフローチャートである。なお、第５実施形態の血液凝固検出処理のうち、第１実施形態の血液凝固処理と同じステップについては同じステップ番号を付し、その説明を省略する。
【００５５】
ステップＳ５１０では、血液にＣａＣｌ２水溶液などの凝固試薬を滴下し、交流電源１３０のスイッチをＯＮにして一対の電圧印加用電極１３２，１３４間に交流電圧（図３参照）を印加する。さらに、光学系ユニット５７０によって光の吸収強度の測定を開始する。このとき、電圧印加用電極１３２，１３４間の電圧を周期的に変化させると、印加電圧の周期的な変化に応じて、測定対象である血液の電荷状態や表面エネルギーが周期的に変化し、血液の形状が周期的に変化する（図９（ａ）（ｂ）参照）。そして、こうした血液の形状の周期的な変化に伴い、受光部５７４が受光する光量に基づいて求められる吸収強度が周期的に変化する。
【００５６】
ステップＳ５２０では、ステップＳ５１０で得られた吸収強度の経時変化から、これらの測定開始から周期的な変化がなくなるまでの時間Ｔを算出する。血液が凝固すると、電圧の変化による血液の形状変化がなくなるため、光の吸収強度の変化が無くなる。このため、時間に対するインピーダンスの変化がなくなった時点つまり時間Ｔが経過した時点で血液が凝固したとみなすことができる。こうしたことから、時間Ｔを血液凝固時間とすることができる。
【００５７】
ここで、本実施形態の構成要素と本発明の構成要素との対応関係を明らかにする。本実施形態の交流電源１３０及び一対の電圧印加用電極１３２，１３４が本発明の電界発生手段に相当し、光学系ユニット５７０が検出手段に相当し、光の吸収強度が物理的性質に相当する。なお、本実施形態では、血液凝固検出装置を用いた血液凝固検出処理を説明することにより、本発明の血液凝固検出方法の一例も明らかにしている。
【００５８】
以上説明した本実施形態の血液凝固検出装置５００では、疎水性膜５６０が設けられていること及び検出手段の構成が異なることによる効果以外は、概ね第１実施形態の効果と同様の効果を有する。このため、以下では、疎水性膜が設けられていること及び検出手段の構成が異なることによる効果についてのみ説明する。
【００５９】
この血液凝固検出装置５００では、血液載置部Ｓの表面に疎水性膜５６０が形成されて疎水性が高められているため、電界が発生していないときの、血液載置部に対する血液の接触角θが大きくなる。このため、電界が発生しているときと電界が発生していないときの血液の形状の変化が大きくなり、検出感度を高めることができる。ところで、一般的に、疎水性の膜は導電性が低い傾向にある。このため、第１〜第４実施形態のように、検出用電極１５２，１５４，３５３，４５３などを用いる態様では、検出用電極が露出した血液載置部Ｓの表面に疎水性の膜を敷設すると、検出用電極の検出感度が落ちてしまう。しかし、本実施形態では、こうした検出用電極が必要ないため、疎水性膜を設けたとしても検出感度に悪影響を及ぼすことがない。
【００６０】
［その他の実施形態］
上述した実施形態では、電界を周期的に変化させるにあたり、周期的に電圧を０（Ｖ）からＶ（Ｖ）の間で変化させたが、その代わりに周期的に極性を変化させてもよいし、周期的に印加電圧の高低を変化させてもよい。また、印加電圧の波形は、正弦波としたが、矩形波や三角波としてもよいし、パルス波としてもよい。
【００６１】
第１〜４実施形態では、インピーダンス測定装置１５０を用いてインピーダンスを測定するものとしたが、その他の電気的性質を測定するものとしてもよい。例えば、誘電率や電気抵抗率などを測定するものとしてもよい。
【００６２】
第１，２実施形態では、２つの検出用電極１５２，１５４が血液載置部Ｓの表面に露出したものとしたが、電極１５２，１５４の表面には、疎水性の膜が敷設されていてもよい。疎水性の膜が敷設されていれば、電界が発生していないときの血液載置部Ｓに対する血液の接触角θが大きくなるため、電界が発生しているときと電界が発生していないときの血液の形状の変化が大きくなり、検出感度を高めることができる。このとき、疎水性の膜は、導電性の高いものであることが好ましい。なおこのとき、図１１に示すように、電極１５２，１５４の表面に検出用誘電体層１５２ｂ，１５４ｂが設けられ、その上に疎水性膜１５２ｃ，１５４ｃが敷設されているものとしてもよい。こうしたものでは、血液載置部Ｓに対する血液の接触面積が大きくなると検出用電極１５２，１５４と血液との間で形成されるキャパシタの静電容量が大きくなり、接触面積が小さくなると静電容量が小さくなる。このため、検出用電極１５２，１５４間の静電容量の変化を検出するのに適している。なお、血液の接触面積が大きくなると、血液の左端から右端までの距離が長くなり血液を誘電体とするキャパシタ部分の電極間距離が長くなる分静電容量が小さくなるし、血液の接触面積が小さくなると、その分だけ静電容量が大きくなるものの、その影響は微小と考えられる。
【００６３】
第３，４実施形態では、１つの検出用電極３５３又は４５３が血液載置部Ｓの表面に露出したものとしたが、検出用電極３５３や４５３の表面には、疎水性の膜が形成されていてもよい。この場合も、疎水性の膜は、導電性の高いものが好ましい。
【００６４】
第５実施形態では、電界発生手段は、第１実施形態と同様のものとしたが、第２実施形態と同様のものとしてもよい。
【００６５】
第５実施形態では、疎水性膜５６０を備えたものとしたが、疎水性膜５６０を備えていなくてもよい。この場合、誘電体層１４０として、疎水性の高いものを用いることが好ましい。
【００６６】
第５実施形態では、光の吸収強度を測定するものとしたが、その他の光学的性質を測定するものとしてもよい。例えば、測定対象である血液の上方にフォトセルを配置して、光の散乱強度を測定するものとしてもよい。
【００６７】
なお、本発明は上述した実施形態に何ら限定されることはなく、本発明の技術的範囲に属する限り種々の態様で実施し得ることはいうまでもない。
【実施例】
【００６８】
以下では、第１実施形態の血液凝固検出装置１００を具体的に作製した例について、実施例として説明する。
【００６９】
［血液凝固検出装置の作製］
図１２は、実施例の血液凝固検出装置１００の作製手順を示す説明図である。まず、５ｍｍ×５ｍｍのＳｉＯ2製の基板１２０を用意した（図１２（ａ））。そして、基板１２０の表面に、幅１ｍｍのマスキングテープ１２２を貼り、それぞれ５ｍｍ×２ｍｍの領域に分割した（図１２（ｂ））。続いて、スパッタを行い３００μｍのＰｔ層（電圧印加用電極１３２，１３４）を形成し（図１２（ｃ））、マスキングテープ１２２をはがすことによって、それぞれ５ｍｍ×２ｍｍ×厚さ３００μｍの一対の電圧印加用電極１３２，１３４を形成した（図１２（ｄ））。そして、電圧印加用電極１３２，１３４を覆うように、基板１２０の表面にＣＶＤにてＳｉ3Ｎ4からなる誘電体層１４０を２μｍの厚さとなるように形成した（図１２（ｅ））。さらに、誘電体層１４０の上に、ジエチレングリコールモノエチルエーテルにＰｔ粉末を分散させたＰｔペーストをそれぞれ５ｍｍ×２ｍｍで１ｍｍの間隔を開けて２箇所塗布して乾燥させ、厚さ１００μｍ程度の一対の検出用電極１５２，１５４を形成した（図１２（ｆ））。こうして得られたチップ１１０に、交流電源１３０及びインピーダンス測定装置１５０を接続して、血液凝固検出装置１００を得た（図１２（ｇ））。
【００７０】
［インピーダンス測定］
チップ１１０の血液載置部Ｓに４μｌの馬保存血液（コージンバイオ社製）を滴下後、凝固試薬（５０ｍＭ  ＣａＣｌ2水溶液）２μｌを滴下し、血液と電極の間に図３に示す正弦波の交流電圧を印加し、そのときのインピーダンスの変化をインピーダンスアナライザで測定した。なお、交流電圧条件は、実施例１では０Ｖ−５０Ｖ，１Ｈｚ、実施例２では０Ｖ−３０Ｖ，１Ｈｚ、実施例３では０Ｖ−１０Ｖ，１Ｈｚ、実施例４では０Ｖ−５０Ｖ，１０Ｈｚとした。
【００７１】
［結果］
図１３（ａ）〜（ｄ）に実施例１〜４のインピーダンス測定結果を示す。実施例１〜４では、いずれも１２〜１３秒で周期的な変化がなくなっている。このように周期的な変化がなくなったのは、血液が凝固したことによって形状変化しなくなったことを示すもの推察された。よって、この方法では、血液の凝固を検出できることがわかった。なお、実施例１〜４では、いずれも時間の経過とともにインピーダンスが増加したが、これは、水分が蒸発したことや血液凝固の進行に起因するものと推察された。
【００７２】
また、交流電圧条件を１０Ｈｚとした実施例４では、交流電圧条件を１Ｈｚとした実施例１〜３に比して、分解能が高いため周期的な変化がなくなるタイミングを精度よく判定することができた。このことから、印加する交流電圧の周波数は大きい方がよいと推察された。一方で、周波数が大きすぎる場合（例えば１ｋＨｚなど）、電気的性質や光学的性質の変化を検出する検出系が追従しなくなるおそれがあるため、周波数は、１Ｈｚ以上１００Ｈｚ以下程度が好適であると推察された。
【００７３】
また、周波数が同じで印加電圧の振幅を変えた場合、実施例１〜３から明らかなように、印加電圧の振幅が大きいほど、周期的な変化がなくなるタイミングの判断が容易であった。これは、印加電圧が大きいほど、血液の形状の変化量が大きくなるためと推察された。印加電圧の振幅としては、例えば、１Ｖ以上２００Ｖ以下が好適であると推察された。
【産業上の利用可能性】
【００７４】
本発明は、生物実験、モニタリング若しくは診断または医薬の創成などのバイオ産業の分野において利用可能である。
【符号の説明】
【００７５】
１００  血液凝固検出装置、１１０  チップ、１２０  基板、１２２  マスキングテープ、１３０  交流電源、１３２，１３４  電圧印加用電極、１４０  誘電体層、１４２，１４４  凹部、１５０  インピーダンス測定装置、１５２，１５４  検出用電極、１５２ａ，１５４ａ  端子部、１５２ｂ，１５４ｂ  検出用誘電体層、１５２ｃ，１５４ｃ  疎水性膜、２００  血液凝固検出装置、２１０  チップ、２３２  電圧印加用チップ側電極、２３４  電圧印加用血液側電極、３００  血液凝固検出装置、３１０  チップ、３５３  検出用電極、３５３ａ，３５３ｂ  端子部、４００  血液凝固検出装置、４１０  チップ、４５３  検出用電極、４５３ａ，４５３ｂ  端子部、５００  血液凝固検出装置、５１０  チップ、５６０  疎水性膜、５７０  光学系ユニット、５７２  発光部、５７４  受光部、Ｓ  血液載置部、Ｔ  血液凝固時間。
【図１】
2014169920.tif 000003
【図２】
2014169920.tif 000004
【図５】
2014169920.tif 000005
【図６】
2014169920.tif 000006
【図７】
2014169920.tif 000007
【図８】
2014169920.tif 000008
【図９】
2014169920.tif 000009
【図１０】
2014169920.tif 000010
【図１１】
2014169920.tif 000011
【図１２】
2014169920.tif 000012
【図３】
2014169920.tif 000013
【図４】
2014169920.tif 000014
【図１３】
2014169920.tif 000015